(57)【要約】 【課題】  簡単に裏返せて糸屑やほこりを除去できる使い勝手の良い洗濯機用ネットを提供する。【解決手段】  袋状ネット１の底部内側に突起部４を設ける。この突起部４は、底部を突形状とした袋状ネット１を裏返して底部を破線イで示すネットの幅方向に縫合した後、このネットを表に返すことにより形成できる。突起部４をネット内側より摘み上げて開口部より引き出せば、ネットを簡単に裏返しにすることができる。【選択図】    図１
0003113436.tif 000002
【実用新案登録請求の範囲】
【請求項１】
袋状ネットの底部内側にネットの裏返しに用いる突起部を設けたことを特徴とする洗濯機用ネット。
【請求項２】
底部を突形状とした袋状ネットを裏返して底部をネットの幅方向に縫合した後、このネットを表に返して前記突起部としたことを特徴とする請求項１に記載の洗濯機用ネット。
【請求項３】
前記突起部の頂部に摘みを設けたことを特徴とする請求項１または請求項２の何れかに記載の洗濯機用ネット。
【請求項４】
前記袋状ネットは、衣類を収容した状態で洗濯槽に入れて使用する洗濯ネットである請求項１から請求項３までの何れかに記載の洗濯機用ネット。
【請求項５】
前記袋状ネットは、洗濯槽に入れて水中の糸屑等を捕集する屑取りネットである請求項１から請求項３までの何れかに記載の洗濯機用ネット。
【考案の詳細な説明】
【技術分野】
【０００１】
本考案は、洗濯ネットや屑取りネット等、洗濯機に用いるネット類に関し、特に、ネットの底部に付着・残留した糸屑等の除去を容易にする洗濯機用ネットに関するものである。
【背景技術】
【０００２】
従来より、洗濯機の必需品として、洗濯物を洗濯する際に下着や靴下、或いは子供用衣服等の痛み易い小物類をナイロンやポリエステルで成る扁平な四角状の専用ネット袋に収容して他の洗濯物等と一緒に洗濯機に入れて洗濯する洗濯ネットや、扁平な細長三角状のネットの開口部にリングを嵌め合わせてネットの開口状態を維持しつつ、吸盤やフック等で洗濯機の内壁に固定したり、或いは浮きにより洗濯槽に浮かせて水中の糸屑やほこり等を効率良く捕集する屑取りネット等が知られている。
【考案の開示】
【考案が解決しようとする課題】
【０００３】
ところで、上記した洗濯ネットや屑取りネット等は繰り返し使用しているとネット内側の底部に衣類から出た糸屑やほこりが付着・残留し、不衛生である共に、ネットの通水性も悪くなり、洗浄効果や屑取り効果に影響するといった不都合が生じることから、ネットの底部に付着した糸屑やほこり等を適宜除去する必要があった。
【０００４】
ネット開口部から手を入れて底部の付着物を取り去るのは難しいため、ネットの清掃は、底部を外側から指で摘んで内側に持ち上げてネットを裏返しにした状態で行うのが一般的であるが、四角形や細長三角形の扁平ネットをこのような方法で裏返すのはなかなか難しいものであり、よって、ネットの清掃は面倒な作業であった。
【０００５】
本考案は、このような問題点に鑑み成されたもので、ネット内に溜まった糸屑やほこりを簡単に裏返して除去できる、使い勝手の良い洗濯機用ネットを提供することを目的としている。
【課題を解決するための手段】
【０００６】
すなわち、請求項１に記載の考案は、袋状ネットの底部内側にネットの裏返しに用いる突起部を設けたことを特徴としている。
【０００７】
また、請求項２に記載の考案は、請求項１に記載の洗濯機用ネットにおいて、底部を突形状とした袋状ネットを裏返して底部をネットの幅方向に縫合した後、このネットを表に返して前記突起部としたことを特徴としている。
【０００８】
また、請求項３に記載の考案は、請求項１または請求項２の何れかに記載の洗濯機用ネットにおいて、前記突起部の頂部に摘みを設けたことを特徴としている。
【０００９】
また、請求項４に記載の考案は、請求項１から請求項３までの何れかに記載の洗濯機用ネットにおいて、前記袋状ネットは、衣類を収容した状態で洗濯槽に入れて使用する洗濯ネットであることを特徴としている。
【００１０】
また、請求項５に記載の考案は、請求項１から請求項３までの何れかに記載の洗濯機用ネットにおいて、前記袋状ネットは、洗濯槽に入れて水中の糸屑等を捕集する屑取りネットであることを特徴としている。
【考案の効果】
【００１１】
本考案によれば、袋状ネットの底部内側に突起部を設けたので、開口部から手を入れて底部の突起部を摘み上げ、開口部より引き出すことにより、ネットを簡単に裏返しにすることができるため、底部に付着した糸屑や埃の清掃を容易に行えるようになる。
また、この突起部の頂部に摘みを設けることにより、ネットの裏返し作業をより簡単に行えるようになる。
【考案を実施するための最良の形態】
【００１２】
以下、図面に基づいて本考案の実施形態を説明する。
図１は洗濯ネットを示し、図２は屑取りネット、図３は屑取りフィルター用ネットを示している。
【００１３】
図１に示す洗濯ネット１は、ナイロン繊維やポリエステル繊維等で成る網目状の布体を折り重ねて袋状に縫製したものであって、開口部にファスナー２を設けて開閉自在としている。また、洗濯ネット１の縫製された両側部および底部は、内側より柔らかいバイアステープ３で包被し、縫い代を補強してある。
【００１４】
図１（ａ）は洗濯ネットを裏返した状態を示し、本実施形態の洗濯ネット１は、この裏返しの状態で、ネット１の底部を山形状としている。本実施形態では、この山形状の裾野部において、表側と裏側を破線イで示すネットの幅方向に縫合した後、洗濯ネット１を表に返すことにより、図１（ｂ）に示すように、四角形状の洗濯ネット１の底部内側に三角形状の突起部４を形成している。
また、上述のバイアステープ３を縫い付ける際、この山形状底部の頂部においてバイアステープ３を旋回して輪状に縫い付けることにより、上記突起部４の頂部に摘み５を形成している。
【００１５】
上記構造の洗濯ネット１では、ファスナー２を開いて開口部より手を入れ、底部の突起部４を指先で摘み上げて開口部より引き出せば、ネットを簡単に裏返しにすることができる。この時、突起部４の摘み５を摘めば引き出しは容易に行える。この状態でネットの底部に付着した糸屑やほこりを簡単に取り除くことができる。
【００１６】
また、本考案は、上述の洗濯ネット１の他、図２に示す屑取りネット１０にも適用可能である。
【００１７】
図２（ａ）は捕集ネット１１を裏返した状態を示しており、この捕集ネット１１は、扇形を成す網目状の布体を折り重ねて三角形の袋状に縫製した円錐形状のネットである。
本実施形態では、この三角状の底部を所定の位置において表側と裏側を破線イで示すネットの幅方向に縫合した後、捕集ネット１１を表に返すことにより、図２（ｂ）に示すように、台形状の捕集ネット１１の底部内側に三角形状の突起部１２を形成することができる。図２（ｂ）には、この捕集ネット１１の開口部１１ａにプラスチック製のリング１３を嵌め合わせてネットの開口状態を維持し、このリング１３に揺動自在に取り付けたフック１４にて洗濯機の内壁に係止できるようにした屑取りネット１０が示されている。
【００１８】
本構成の屑取りネット１０では、開口部１１ａより手を入れ、底部の突起部１２を指先で摘み上げて開口部１１ａより引き出せば、捕集ネット１１を簡単に裏返しにすることができるので、ネットの底部に付着した糸屑やほこりを簡単に取り除くことができる。この場合も、上述の実施形態と同様に、突起部１２の頂部に摘みを設けても良い。
【００１９】
以上、本実施形態では、本考案を洗濯ネット１や屑取りネット１０に適用した場合を説明したが、この屑取りネット１０の応用として、図３に示すような、開口部２０ａに伸縮性を持たせて洗濯槽の給水口に取り付けて使用する屑取りフィルター用ネット２０にも適用可能なことは勿論である。尚、本図はネットを裏返しにした状態を示し、破線イは縫合箇所を示している。
また、本実施形態では、四角形や三角形の扁平ネットを示したが、これに限るものではなく、例えば、図４に示すような開口部にファスナー３２を設けた球状の洗濯ネット３０等にも勿論適用可能である。このような球状ネットでは、内側のバイアステープ３１を底部において輪状に縫い付けて裏返し用の突起部３３としている。
【図面の簡単な説明】
【００２０】
【図１】本考案に係る洗濯ネットを示す図。
【図２】本考案に係る屑取りネットを示す図。
【図３】本考案に係る屑取りフィルタ用ネットを示す図。
【図４】本考案に係る図１とは別の洗濯ネットを示す図。
【符号の説明】
【００２１】
１  洗濯ネット
４、１２  突起部
５  摘み
１０  屑取りネット
【図１】
0003113436.tif 000003
【図２】
0003113436.tif 000004
【図３】
0003113436.tif 000005
【図４】
0003113436.tif 000006